(57)【要約】【目的】遊戯機（代表的には、スロットマシン）の扉の不正解錠を高度のレベルで防止する遊戯機の錠装置及びその錠装置を装備する遊戯機を提供する。【構成】本発明による遊戯機の錠装置は、鍵符号器で作成の暗号コ−ドを保存する不揮発性メモリを備える作業用鍵と、身体の生体的特徴の照合により認証された人物により作成された暗号コ−ドを作業用鍵の不揮発性メモリに保存する鍵符号器と、作業用鍵の不揮発性メモリに保存の暗号を解読して解錠信号により作動する電子錠装置により解錠・扉開閉を行うように構成されて、高度に不正解錠が防止されている。本発明による遊戯機は、本発明の錠装置が遊戯機に配設されてなる。【選択図】　　図４
0003100065.tif 000002
【実用新案登録請求の範囲】
【請求項１】
（１）不揮発性メモリを備える構造の作業用鍵と、
（２）鍵挿入部と、身体の生体的特徴を既登録の生体的特徴と照合して人物を認証する人物認証装置と、数字または／及び符号の組み合わせによる暗号デ−タを作成する暗号作成装置とを備える構造の鍵符号器であって、
人物認証装置によって認証された人物が、暗号作成装置により暗号コ−ドを作成して鍵挿入部に挿入の作業用鍵の不揮発性メモリに保存処理する機構を有する鍵符号器と、
（３）鍵挿入部と、暗号読み取り装置と、暗号処理装置と、暗号処理装置からの解錠信号により解錠する電子錠装置を備える構造の扉開閉装置であって、
鍵挿入部に挿入の作業用鍵の暗号コ−ドを暗号読み取り装置で読み取って暗号処理装置により解読・認証して、暗号処理装置からの解錠信号により電子錠装置を解錠する機構を有する扉開閉装置と、から構成されていること、を特徴とする遊戯機の錠装置。
【請求項２】
（ｉ）不揮発性メモリと、不揮発性メモリの暗号コ−ドを光信号に変換表示するＬＥＤ発光装置とを備える構造の作業用鍵と、
（ｉｉ）鍵挿入部と、指紋を既登録の指紋と照合して人物を認証する人物認証装置と、数字または／及び符号の組み合わせによる暗号コ−ドを作成する暗号作成装置とを備える構造の鍵符号器であって、
指紋照合で認証された人物が暗号作成装置により作成した暗号コ−ドを鍵挿入部に挿入の作業用鍵の不揮発性メモリに保存処理する機構を有する鍵符号器と、
（ｉｉｉ）鍵挿入部と、暗号読み取り装置と、暗号処理装置と、暗号処理装置からの解錠信号により解錠する電子錠装置と、遊戯機扉の開閉を撮影・保存するデジタルカメラ装置とを備える構造の扉開閉装置であって、
鍵挿入部に挿入の作業用鍵の暗号コ−ドを暗号読み取り装置で読み取って、暗号処理装置により解読・認証して、暗号処理装置からの解錠信号により電子錠装置を解錠し、解錠による扉開閉をデジタルカメラ装置により撮影してデ−タを保存する機構を有する扉開閉装置と、から構成されること、を特徴とする遊戯機の錠装置。
【請求項３】
（Ａ）不揮発性メモリと、不揮発性メモリに保存の暗号コ−ドを光信号に変換表示するＬＥＤ発光装置と、不正操作により機構停止処理をする保安回路とを備える構造の作業用鍵と、
（Ｂ）指紋を既登録の指紋と照合して人物を認証する指紋認証装置と、数字または／及び符号の組み合わせによる暗号コ−ドを作成する暗号作成装置と、不正操作により暗号作成機構を停止するプログラムを内蔵する保安回路と、蓄電池と、鍵挿入部とを備える構造の鍵符号器であって、
指紋照合で認証された人物が暗号作成装置により作成した暗号コ−ドを鍵挿入部に挿入の作業用鍵の不揮発性メモリに保存処理し、保安回路により不正操作時の暗号作成機構を停止し、蓄電池により電源遮断時の保安回路作動を維持する機構を有する鍵符号器と、
（Ｃ）鍵挿入部と、暗号読み取り装置と、暗号処理装置と、暗号処理装置からの解錠信号により解錠する電子錠装置と、遊戯機扉の開閉を撮影するデジタルカメラ装置と、不正操作で暗号処理装置の機構を停止する保安回路と、扉開閉の監視装置とを備える構造の扉開閉装置であって、
鍵挿入部に挿入の作業用鍵の暗号コ−ドを読み取り装置で読み取って、暗号処理装置により解読・認証して、暗号処理装置からの解錠信号により電子錠装置を解錠し、解錠による扉開閉をデジタルカメラ装置により撮影して画像デ−タを保存し、監視装置により扉開閉の異常に対して非常警報を発する機構を有する扉開閉装置と、から構成されること、を特徴とする遊戯機の錠装置。
【請求項４】
（１）不揮発性メモリを備える構造の作業用鍵と、
（２）鍵挿入部と、身体の生体的特徴を既登録の生体的特徴と照合して人物を認証する人物認証装置と、数字または／及び符号の組み合わせによる暗号デ−タを作成する暗号作成装置とを備える構造の鍵符号器であって、
人物認証装置によって認証された人物が、暗号作成装置により暗号コ−ドを作成して鍵挿入部に挿入の作業用鍵の不揮発性メモリに保存処理する機構を有する鍵符号器と、
（３）鍵挿入部と、暗号読み取り装置と、暗号処理装置と、暗号処理装置からの解錠信号により解錠する電子錠装置を備える構造の扉開閉装置であって、
鍵挿入部に挿入の作業用鍵の暗号コ−ドを暗号読み取り装置で読み取って暗号処理装置により解読・認証して、暗号処理装置からの解錠信号により電子錠装置を解錠する機構を有する扉開閉装置とから構成される遊戯機の錠装置の扉開閉装置が、遊戯機の扉の内側若しくはその近傍に配置されて、遊戯機の扉の表面には、扉開閉装置の鍵挿入部が設けられていること、を特徴とする遊戯機。
【考案の詳細な説明】
【０００１】
【考案の属する技術分野】
第一の本考案は、スロットマシン等の遊戯機の扉の不正な解錠に開閉を高度のレベルで防止する遊戯機の錠装置に関する。
第二の本考案は、第一の本考案の電子錠装置を備えるスロットマシン等の遊戯機に関する。
【０００２】
【従来の技術】
遊戯機（例えば、スロットマシン等）は、一般的な機械式構造の錠を遊戯機本体の前扉に取り付けて、遊戯場の管理者及び従業者以外の者（例えば、遊戯者等）が、前扉を不正に開けるのを防止している。しかし、遊戯機本体の前扉の錠を強固な機械式構造にするには、取り付ける場所及び空間スペ−スからの制約を受けて実質的に不可能である。
【０００３】
また、遊戯機本体の前扉の錠についての電子錠機構の提案は、不正解錠の防止には不十分な機構である（特許文献１：特開平８−１０４２１を参照）。
一方、特定された人物の操作により解錠が可能になる電子錠が存在する。人体に固有の生体由来の特徴（指紋認識・虹彩認識・静脈認識等）を認識・照合して施錠・解除する電子錠、登録した４〜８桁の数字の組み合わせを解錠に際して数字を入力する方式の電子錠、及び磁気カ−ド・非接触式カ−ドを挿入して認証するカ−ド方式の電子錠である。
【０００４】
しかし、それら電子錠では不正な解錠が可能であることが知られていて、例えば、数字入力方式は実質的に不正侵入が可能であり、カ−ド方式はカ−ドの盗用・不正コピ−により解錠が容易である。
【０００５】
【考案が解決しようとする課題】
本考案者は、従来提案とは異なる視点からの創作によって不正侵入を高度のレベル防止可能な構造を有する遊戯機扉用の電子錠を創作した。
第一の本考案は、高度の不正操作防止機構を有して安全管理のレベルを向上させる遊戯機の錠装置を提供すること、を目的とする。
第一の本考案は、不正操作によって電子錠装置の機構を停止させてる遊戯機の錠装置を提供すること、をも目的とする。
第一の本考案は、不正操作防止機構を経時的に更新させる遊戯機の錠装置を提供すること、をも目的とする。
【０００６】
第二の本考案は、高度の不正操作防止機構を有して安全管理のレベルが向上した遊戯機を提供すること、を目的とする。
【０００７】
【課題を解決するための手段】
第一の本考案による遊戯機の錠装置は、（１）不揮発性メモリを備える構造の作業用鍵と、
（２）鍵挿入部と、身体の生体的特徴を既登録の生体的特徴と照合して人物を認証する人物認証装置と、数字または／及び符号の組み合わせによる暗号デ−タを作成する暗号作成装置とを備える構造の鍵符号器であって、
人物認証装置によって認証された人物が、暗号作成装置により暗号コ−ドを作成して鍵挿入部に挿入の作業用鍵の不揮発性メモリに保存処理する機構を有する鍵符号器と、
（３）鍵挿入部と、暗号読み取り装置と、暗号処理装置と、暗号処理装置からの解錠信号により解錠する電子錠装置を備える構造の扉開閉装置であって、
鍵挿入部に挿入の作業用鍵の暗号コ−ドを暗号読み取り装置で読み取って暗号処理装置により解読・認証して、暗号処理装置からの解錠信号により電子錠装置を解錠する機構を有する扉開閉装置と、から構成されていること、を特徴とする。
【０００８】
第二の本考案による遊戯機は、（１）不揮発性メモリを備える構造の作業用鍵と、
（２）鍵挿入部と、身体の生体的特徴を既登録の生体的特徴と照合して人物を認証する人物認証装置と、数字または／及び符号の組み合わせによる暗号デ−タを作成する暗号作成装置とを備える構造の鍵符号器であって、
人物認証装置によって認証された人物が、暗号作成装置により暗号コ−ドを作成して鍵挿入部に挿入の作業用鍵の不揮発性メモリに保存処理する機構を有する鍵符号器と、
（３）鍵挿入部と、暗号読み取り装置と、暗号処理装置と、暗号処理装置からの解錠信号により解錠する電子錠装置を備える構造の扉開閉装置であって、
鍵挿入部に挿入の作業用鍵の暗号コ−ドを暗号読み取り装置で読み取って暗号処理装置により解読・認証して、暗号処理装置からの解錠信号により電子錠装置を解錠する機構を有する扉開閉装置とから構成される遊戯機の錠装置の扉開閉装置が、遊戯機の扉の内側若しくはその近傍に配置されて、遊戯機の扉の表面には、扉開閉装置の鍵挿入部が設けられていること、を特徴とする。
【０００９】
【考案の実施の形態】
本考案の実施の形態を図１〜図５に基づいて具体的に説明する。なお、図１〜図５に示す実施の形態は、本考案の好適な実施の形態ではあるが、本考案に包含される多種多様な実施の形態の一部の例示である。
本考案の遊戯機の錠装置は、認証された特定の人物が鍵符号器によって作業用鍵の不揮発メモリに暗号コ−ドを入力して、その作業用鍵の暗号コ−ドの認証により遊戯機扉の電子錠装置の解錠を主たる機構にして、それに種々の安全性確保の機構を組み合わせている。
【００１０】
〔作業用鍵〕：
図１は、作業用鍵の内部構成を示す説明図であって、作業用鍵２００は、不揮発性メモリ２０１、ＣＰＵ２０２、ＬＥＤ発光装置、保安回路２０３及び蓄電器（代表的には、電池）２０４を有する構造になっている。
不揮発性メモリ２０１には、鍵符号器において暗号コ−ドが保存されて、その暗号コ−ドを介在によって不正な解錠が防止されている。ＣＰＵ２０２は、不揮発性メモリ２０１への暗号コ−ドの保存及び保安回路２０３の動作等を制御する。不揮発性メモリ２０１の暗号コ−ドは、ＬＥＤ発光装置で光信号に変換されて、扉開閉装置の暗号読み取り装置３２０に読み取られる。
【００１１】
保安回路２０３は、作業用鍵２００に対して不正な操作が行われた場合に作業用鍵２００の機構を停止するプログラムを内蔵して、それによって、作業用鍵２００の安全及び不正防止がより高水準に確保される。不正な操作は、例えば、不揮発性メモリ２０１への不正な情報の入力、不揮発性メモリ２０１の情報の不正な変更及び作業用鍵への物理的な過剰な負荷等である。作業用鍵に内蔵する電池鍵形状に適合するものが使用される。
作業用鍵２００は、小型（薄型長方形）であり得るが、作業用鍵２００を扉開閉装置に挿入する場合に、一方向からの挿入のみが可能な形状（特に、視認容易な形状）あるのが適している。作業用鍵は、その先端領域に外部接続用端子を備えている。
【００１２】
〔鍵符号器〕：
図２は、鍵符号器の内部構造を示す説明図であって、鍵符号器１００は、鍵挿入部１０１、情報入力装置（例えば、操作キーパッド）１０２、指紋認識装置１０３、ＬＣＤモニタ−１０４、暗号処理装置（暗号作成プロセッサ−等を含む）１０５、電源スイッチ１０６、管理用メモリ１０７、ＣＰＵ１０８、保安回路１０９及び蓄電池１１０を有する構造になっている。
鍵符号器１００は、電源スイッチ１０６をオンにして、認証を受ける人物の指紋の読み取り・照合による認証が指紋認識装置１０３により行われる。指紋の認証は、認証する人物（例えば、遊技場の管理者及び監督者等）の指紋のデ−タを保存してそれとの照合により行われる。
【００１３】
また、指紋認識装置１０３での指紋照合が不一致であると、ＣＰＵ１０８が働いて暗号作成装置１０５を起動不能の状態にする。暗号作成装置１０５を無理に起動させると、保安回路１０９のプログラムが働いて暗号作成装置１０５のプログラムの機能を停止させる。指紋以外の生体上の特徴（例えば、音声、眼球光彩等）を認識する装置を用いることも可能である。
認証を受けた人物は、鍵挿入部（例えば、鍵穴）１０１に作業用鍵２００を挿入してその外部接続用端子を鍵符号器１００と電気的に接続させて、情報入力装置１０２を通じて暗号作成装置１０５により作成した固有の暗号コ−ドを作業用鍵２００の不揮発性メモリ２０１に保存する。暗号コ−ドは、数字または／及び符号の任意の組み合わせからなる。暗号パタ−ンは、例えば、数〜数十種類の暗号パタ−ンと独立した不規則乱数条件を暗号処理装置に入力して、それを内蔵の暗号発生プロセッサ−によって演算させて不規則コ−ドからなるデ−タする等して作成される。不揮発性メモリには、作業用鍵２００を携帯・使用する者（例えば、従業者等）のデ−タをも保存するのが適している。
【００１４】
暗号作成プロセッサ−は、モジュ−ル化すれば、モジュ−ルを所望期間の経過後に入れ替えて暗号の複製若しくは盗用を防止することができる。暗号作成プロセッサ−は、取り替えが容易な形式（例えば、プラグ差し込み式）にするのが適している。暗号作成装置１０５の履歴（例えば、暗号作成プロセッサ−の使用履歴）及び作成した暗号コ−ド等は管理用メモリ１０７に蓄積して必要に応じてＣＰＵ１０８を動作させて照会可能になる。
ＣＰＵ１０８は、暗号処理装置により予め用意された暗号パタ−ンの約７０％が使用されると警告するようにプログラムして暗号の複製若しくは盗用の防止効果を向上させることができる。
【００１５】
情報入力装置１０２は、いずれの形式の装置によることが可能であって、例えば、キ−パッドによることも可能である。ＬＣＤモニタ−１０４は、認証を受けた人物が行う操作を写して操作の正確性と不正操作の排除を確保している。保安回路１０９は、不正な作業用鍵が鍵挿入部１０１に挿入されて電気的に接続されると、暗号作成を停止して警告音を鳴らすようにプログラムされている。なお、鍵符号器内の重要回路は、侵入が困難な配置で内蔵されている。蓄電池（代表的には、電池）１１０は、電源遮断時の保安回路１０９の機構維持等に使用される。
【００１６】
図３は、鍵符号器の外観の一例を示す説明図であって、鍵符号器１００は、モニタ−１０４及び入力装置１０２等が平面に配列した形状になっている。
【００１７】
〔扉開閉装置〕：
図４は、扉開閉装置の内部構造を示す説明図であって、扉開閉装置３００は、デジタルカメラ装置３１０、暗号読み取り装置３２０、暗号処理装置３３０、電子錠装置３４０及び監視装置３５２を有する構造になっている。
鍵挿入部３２３に挿入の作業用鍵２００の暗号コ−ドは、ＬＥＤ発光装置２０５により光信号に変換されて、フォトダイオード３２１により受信された光信号は、読み取り装置３２２で読み取られて暗号処理装置３３０に伝送される。
暗号処理装置３３０では、暗号コ−ドが暗号解読装置３３１により解読されて暗号同期プロセッサ−３３３でデ−タメモリ３３２に保存の暗号コ−ドとの照合が行われる。暗号同期プロセッサ−３３３での認証が終了すると、暗号処理装置３３０からの解錠信号が電子錠装置３４０に伝送される。電子錠装置３４０は、解錠信号により電子ソレノイド３４１を作動させて扉を開ける状態にする。安全性確保の点からは、従来から使用されている機械式錠及び鍵を遊戯機の扉に設けて、電子ソレノイド３４１の作動後の所定の短時間内（例えば、５秒以内）にその機械式錠を解錠して遊戯機扉を開いて、その時間が終了すると自動的に閉じ閉ざしピン３４２で扉が定位置に閉じるようにする。
【００１８】
暗号処理装置３３０の主要装置（代表的には、暗号解読装置３３１等）は、モジュ−ル化して、一定期間期間毎に交換することによって安全性を向上させることができる。モジュ−ルは、交換が容易なプラグ挿入方式が適している。
デジタルカメラ装置３１０は、ＣＭＯＳカメラ３１１により扉が開いたときの状況を撮影してその撮影画像を撮影日時と共にデ−タメモリ３３２に保存する。デ−タメモリ３３２の画像は、ＵＳＢインタ−フェ−ス３１３を通じてパソコンにより確認される。
保安回路３３４は、暗号処理装置３３０への不正アクセスがあった場合には、暗号処理装置３３０（特に、暗号解読装置３３１）の機構を停止させるプログラムを内蔵する。
監視装置３５２は、遊戯機扉の開閉を監視していて、所定の短時間経過後においても遊戯機扉が閉じない場合には、扉監視プログラム３５０を作動させて、非常警報装置３５１により警報を発生し、ＣＭＯＳカメラ３１１により遊戯機扉とその近傍を撮影する。非常警報装置３５１が作動すると、遊戯機の錠装置の機構が停止状態になって安全が確保される。保安回路３３４及び監視装置３５２は、緊急時には、電力が蓄電池３３５から供給される構造になっている。
【００１９】
図５は、スロットマシンの前扉を開いた状態を示す説明図であって、スロットマシン５００の前扉５０１の裏側の下方には、扉開閉装置３００が装備されている。
なお、本考案の「遊戯機」は、スロットマシンが代表的ではあるが、それ以外のパンチンコを含む各種の遊戯機であることが可能である。また、本考案の「遊戯機扉」は、遊戯機本体の前扉が代表的ではあるが、前扉以外の扉及び前扉を含む扉であることが可能である。
【００２０】
【考案の効果】
第一の本考案によれば、下記（Ａ）〜（Ｄ）に代表される効果が得られる。
（Ａ）遊戯機扉の錠は、高度の不正操作防止及び高水準の案全性確保が可能である。
（Ｂ）遊戯機扉の錠は、多種多様な不正操作が行われる場合であっても、不正操作を不能に終わらせて、高水準の案全性が維持可能である。
（Ｃ）遊戯機扉の錠は、不正操作によって部分的若しくは全体的に機構が停止する構造にできるので、案全性の水準をより高めることができる。
（Ｄ）遊戯機扉の錠は、不正操作防止及び案全性確保のための機構を経時的に更新させ得るので、最善の不正操作防止及び案全性確保が経時的に維持される。
第二の本考案によれば、第一の本考案による効果を生じさせる錠を備える遊戯機が得られる。
【図面の簡単な説明】
【図１】作業用鍵の内部構成を示す説明図である。
【図２】鍵符号器の内部構成を示す説明図である。
【図３】鍵符号器の一例を示す説明図である。
【図４】扉開閉装置の内部構造を示す説明図である。
【図５】スロットマシンの前扉を開いた状態を示す説明図である。
【符号の説明】
１００　　鍵符号器
１０１　　鍵挿入部
１０２　　情報入力装置
１０３　　指紋認識装置
１０４　　ＬＣＤモニタ−
１０５　　暗号発生装置
１０６　　電源スイッチ
１０７　　管理用メモリ
１０８　　メインＣＰＵ
１０９　　保安回路
１１０　　蓄電池
２００　　作業用鍵
２０１　　不揮発性メモリ
２０２　　マイコン
２０３　　保安回路
２０４　　蓄電池
２０５　　ＬＣＤ発光装置
２０６　　外部接続端子
３００　　扉開閉装置
３１０　　デジタルカメラ装置
３１１　　ＣＭＯＳカメラ
３１２　　データメモリ
３１３　　ＵＳＢインタフェース
３１４　　ＬＣＤ表示装置
３２０　　暗号読み取り装置
３２１　　フォトダイオード
３２２　　光信号読み取り装置
３２３　　鍵挿入部
３３０　　暗号処理装置
３３１　　暗号解読装置
３３２　　データメモリ
３３３　　暗号同期プロセッサ−
３３４　　保安回路
３３５　　蓄電池
３４０　　電子錠装置
３４１　　電子ソレノイド
３４２　　閉ざしピン
３５０　　扉開閉監視プログラム
３５１　　非常警報装置
【図１】
0003100065.tif 000003
【図２】
0003100065.tif 000004
【図３】
0003100065.tif 000005
【図４】
0003100065.tif 000006
【図５】
0003100065.tif 000007